(57)【要約】【課題】本発明は、フィルタを用いて構成されたフィルタの特性を向上させることを目的とする。【解決手段】第１の並列体１２の一端には第１の直列体１１の一端が、第２の並列体１２０の一端には第２の直列体１１０の一端が電気的に接続され、第１の直列体１１の他端には第３の直列体１３の一端が、第２の直列体１１０の他端には第４の直列体１３０の一端が電気的に接続され、第３の直列体１３の一端には第３の並列体１４の一端が、第４の直列体１３０の一端には第４の並列体１４０の一端が電気的に接続され、第１、２、３、４の並列体１２、１２０、１４、１４０の他端はグランドに電気的に接続されており、第３の直列体１３の他端と第４の直列体１３０の他端との間には第２の段間結合素子１９Ｂが介在し、第４の直列体１３０の他端が第２の出力結合素子２１Ｂを介して第２の出力端１６Ｂに電気的に接続されている左手系フィルタとしたものである。【選択図】図４
2009273083.tif 000002
【特許請求の範囲】
【請求項１】
入力端と第１、第２の出力端とを有する共振器であって、
前記入力端と前記第１の出力端との間には第１の段間結合素子が介在し、
前記入力端と前記段間結合素子との間には
キャパシタ成分とインダクタ成分とからなる第１の並列体の一端が電気的に接続され、
前記第１の直列体の一端と前記入力端との間には入力結合素子が電気的に接続され、
前記第１の出力端と前記段間結合素子の間には
キャパシタ成分とインダクタ成分とからなる第２の並列体の一端が電気的に接続され、
前記第２の直列体の一端と前記出力端との間には第１の出力結合素子が電気的に接続され、
前記第１の並列体の一端には
キャパシタ成分とインダクタ成分とからなる第１の直列体の一端が電気的に接続され、
前記第２の並列体の一端には
キャパシタ成分とインダクタ成分とからなる第２の直列体の一端が電気的に接続され、
前記第１の直列体の他端には
キャパシタ成分とインダクタ成分とからなる第３の直列体の一端が電気的に接続され、
前記第２の直列体の他端には
キャパシタ成分とインダクタ成分とからなる第４の直列体の一端が電気的に接続され、
前記第３の直列体の一端には
キャパシタ成分とインダクタ成分とからなる第３の並列体の一端が電気的に接続され、
前記第４の直列体の一端には
キャパシタ成分とインダクタ成分とからなる第４の並列体の一端が電気的に接続され、
前記第１、２、３、４の並列体の他端はグランドに電気的に接続されており、
前記第３の直列体の他端と前記第４の直列体の他端との間には第２の段間結合素子が介在し、
前記第４の直列体の他端が第２の出力結合素子を介して前記第２の出力端に電気的に接続されている
左手系フィルタ。
【請求項２】
前記第１の直列体と前記第１の並列体とによりなる第１のセルと、
前記第２の直列体と前記第２の並列体とによりなる第２のセルからなる第１の共振器と、
前記第３の直列体と前記第３の並列体とによりなる第３のセルと、
前記第４の直列体と前記第４の並列体とによりなる第４のセルからなる第２の共振器が、
電磁界結合をしている
請求項１に記載の左手系フィルタ。
【請求項３】
前記第１の共振器と前記第２の共振器とが誘電体内に内蔵されている
請求項１に記載の左手系フィルタ。
【発明の詳細な説明】
【技術分野】
【０００１】
本発明は、携帯電話等に用いられる左手系フィルタに関するものである。
【背景技術】
【０００２】
従来この種のフィルタは、図１１に示す如く、入力端１と出力端２とを有し、入力端１と出力端２との間には段間結合素子３が介在し、入力端１と段間結合素子３との間にはキャパシタ成分４Ａとインダクタ成分４Ｂとからなる第１の直列体４の一端が電気的に接続され、入力端１と第１の直列体４の一端との間には入力結合素子８が接続され、出力端２と段間結合素子３の間にはキャパシタ成分５Ａとインダクタ成分５Ｂとからなる第２の直列体５の一端が電気的に接続され、出力端２と第２の直列体５の一端との間には出力結合素子９が接続され、第１の直列体４の他端にはキャパシタ成分６Ａとインダクタ成分６Ｂとからなる第１の並列体６の一端が電気的に接続され、第２の直列体５の他端にはキャパシタ成分７Ａとインダクタ成分７Ｂとからなる第２の並列体７の一端が電気的に接続され、第１の並列体６、第２の並列体７の他端がグランドに電気的に接続されているような構成により、左手系伝送線路を誘電体層上に形成していた。
【０００３】
なお、この出願に関する先行技術文献情報としては、例えば、非特許文献１が知られている。
【非特許文献１】Sungtek Kahng and Jeong-ho Ju, Left-Handedness based Bandpass Filter Design for RFID UHF-Band applications, IEEE., PP.165〜168  2007 Korea-Japan Microwave Conference
【発明の開示】
【発明が解決しようとする課題】
【０００４】
このような従来の左手系フィルタでは、差動出力信号を取り出すことができないことが問題となっていた。
【０００５】
すなわち、上記従来の左手系フィルタにおいては、出力端子２が１つしかなく、差動出力信号を出力することができない構成となっていた。
【０００６】
そこで本発明は、差動出力信号を取り出すことを目的とする。
【課題を解決するための手段】
【０００７】
そして、この目的を達成するために本発明は、入力端と第１、第２の出力端とを有する共振器であって、前記入力端と前記第１の出力端との間には第１の段間結合素子が介在し、前記入力端と前記段間結合素子との間にはキャパシタ成分とインダクタ成分とからなる第１の並列体の一端が電気的に接続され、前記第１の直列体の一端と前記入力端との間には入力結合素子が電気的に接続され、前記第１の出力端と前記段間結合素子の間にはキャパシタ成分とインダクタ成分とからなる第２の並列体の一端が電気的に接続され、前記第２の直列体の一端と前記出力端との間には第１の出力結合素子が電気的に接続され、前記第１の並列体の一端にはキャパシタ成分とインダクタ成分とからなる第１の直列体の一端が電気的に接続され、前記第２の並列体の一端にはキャパシタ成分とインダクタ成分とからなる第２の直列体の一端が電気的に接続され、前記第１の直列体の他端にはキャパシタ成分とインダクタ成分とからなる第３の直列体の一端が電気的に接続され、前記第２の直列体の他端にはキャパシタ成分とインダクタ成分とからなる第４の直列体の一端が電気的に接続され、前記第３の直列体の一端にはキャパシタ成分とインダクタ成分とからなる第３の並列体の一端が電気的に接続され、前記第４の直列体の一端にはキャパシタ成分とインダクタ成分とからなる第４の並列体の一端が電気的に接続され、前記第１、２、３、４の並列体の他端はグランドに電気的に接続されており、前記第３の直列体の他端と前記第４の直列体の他端との間には第２の段間結合素子が介在し、前記第４の直列体の他端が第２の出力結合素子を介して前記第２の出力端に電気的に接続されている左手系フィルタとしたものである。
【発明の効果】
【０００８】
この構成により、ＣＲＬＨ共振器を構成するセル数が２セルとなるので、０次と−１次の左手系の共振が発生し、その結果として、差動で信号を取り出すと同電位で振動する０次の共振は打ち消しあい、共振器の両端で電位の振幅が逆相となるように振動する−１次の共振のみ取り出すことができる。
【発明を実施するための最良の形態】
【０００９】
（実施の形態１）
以下、本発明の実施の形態１における左手系フィルタについて図面を参照しながら説明する。
【００１０】
まず、本発明において用いる「セル」という概念について、図１を用いて説明する。
【００１１】
図１に示す如く、単位セル１０は、キャパシタ成分１１Ａとインダクタ成分１１Ｂとからなる直列体１１と、この直列体の一端に接続されたキャパシタ成分１２Ａとインダクタ成分１２Ｂとからなる並列体１２とにより構成される。なお、キャパシタ成分１１Ａとインダクタ成分１１Ｂの前後関係は逆でも構わない。
【００１２】
この単位セル１０がメタマテリアルと呼ばれる右手系・左手系複合線路の最小単位構造となる。
【００１３】
続いて、このメタマテリアルについて説明する。
【００１４】
通常、自然界に存在する物質は正の誘電率と正の透磁率を持ち、これを右手系媒質と呼ぶ。ここで、「右手系」とは、電磁波の電界方向、磁界方向、波の進む方向（位相伝搬方向）の三つが、右手の親指、人差し指、中指の位置関係になっていることを意味する。
【００１５】
これに対し、誘電率、透磁率の両方が同時に負になる媒質のことを、左手系物質、あるいはメタマテリアルと呼ぶ。ここで、「左手系」とは、電磁波の電界方向、磁界方向、波の進む方向（位相伝搬方向）の三つが、左手の親指、人差し指、中指の位置関係になっていることを意味する。
【００１６】
これまでに、誘電率のみが負である物質、あるいは透磁率のみが負になる物質の存在は発見されてきた。例えば前者はプラズマ、後者はフェライトが挙げられる。しかし、誘電率と透磁率の両方が同時に負になる物質は自然界で発見されていない。そこで人工的に微細構造を使って作りこみ、見かけ上の誘電率と透磁率を負にすることで、このような媒質を作り出している。これを人工媒質と呼んでいる。
【００１７】
次に、伝送線路型メタマテリアルの動作原理について説明する。
【００１８】
通常の右手系の伝送線路の電気的特性は、図２に示すように、直列のインダクタ成分１１Ｂと並列のキャパシタ成分１２Ａとからなる無限微小区間が無限個数連なった等価回路で考えることができる。この構造を純粋な右手系伝送線路（Pure right-handed transmission line;PRH TL）という。
【００１９】
これに対し、左手系の伝送線路の電気的特性は、図３に示すように、直列のキャパシタ成分１１Ａと並列のインダクタ成分１２Ｂとからなる無限微小区間が無限個数連なった等価回路で考えることができる。この構造を純粋な左手系伝送線路（Pure left-handed transmission line;PLH TL）という。
【００２０】
しかし、図３に示すような直列のキャパシタ成分１１Ａを作ろうとすると、物理的な体積を有することから、必然的に寄生成分として図２に示すような右手系の直列インダクタ成分１１Ｂが発生することとなる。
【００２１】
また、図３に示すような並列のインダクタ１２Ｂを作ろうとすると、物理的な体積を有することから、必然的に寄生成分として図２に示すような右手系の並列キャパシタ成分１２Ａが発生することとなる。
【００２２】
従って、実際に実現可能な人工媒質のメタマテリアルは、図１に示すような右手系の並列キャパシタ成分１２Ａ、直列インダクタ成分１１Ｂと、左手系の直列キャパシタ成分１１Ａ、並列インダクタ成分１２Ｂとからなる複合右手系左手系伝送線路（Composite right/left-handed transmission line;CRLH TL）となる。
【００２３】
このＣＲＬＨ伝送線路は、左手系と右手系の両方の性質を併せ持つ。周波数が高い領域では右手系の性質を持ち、周波数が低い領域では左手系の性質を持つ。そして、図１に示す左手系のキャパシタ成分１１Ａ（ＣL）と右手系のインダクタ成分１１Ｂ（ＬR）とからなる直列体１１が角周波数ωse＝１／(ＣL*ＬR)で共振する直列共振回路となり、左手系のインダクタ成分１２Ｂ（ＬL）と右手系のキャパシタ成分１２Ａ（ＣR）とからなる並列体１２が角周波数ωsh＝１／(ＬL*ＣR)で反共振する並列共振回路となる。ここで、ωse=ωshの場合をバランス・ケースと言い、右手系の周波数領域と左手系の周波数領域が連続的につながる。一方、ωse≠ωshの場合をアンバランス・ケースと言い、右手系の周波数領域と左手系の周波数領域の間にギャップが生じ、その領域では電磁波が伝播できない減衰帯域となる。
【００２４】
ＣＲＬＨ伝送線路の入出力端に、微小ギャップなどを構成し入出力結合容量を形成すると、ＣＲＬＨは右手系の有限長線路と同じように共振器として動作する。右手系の有限長線路共振器では、２分の１波長となる最低次の共振とその整数倍の高調波の共振が認められる。これに対して、ＣＲＬＨ共振器では、セル数により固有の共振周波数の数が決まってくる。例えば、図１０に示すように単位セル１０を７個接続し、コンデンサ８１、８２で挟んだセル数ｎ＝７のＣＲＬＨ共振器は、図８に示すように２分の１波長の定在波がのる＋１次の共振から＋６次の共振が右手系の共振として存在する。また、後進波の共振として、２分の１波長の定在波がのる−１次の共振から−６次の共振が左手系の共振として存在する。さらに、全てのセルが同電位で同期して振動する０次モードというものが存在する。図９に示すように０次モードでは定在波が立たないが、このモードは波長が無限大になった特殊な共振モードと考えることができる。
【００２５】
ＣＲＬＨ共振器で、＋１次と−１次の共振モードは、図９に示すように定在波の分布を見ると同じであり、右手系の前進波と左手系の後進波の位相速度の絶対値は、左手系の方が低い周波数で同じになるので、左手系の共振周波数は必ず低くなる。
【００２６】
−６次より低い周波数ではＣＲＬＨ伝送線路のハイパス特性が効いてきて、それより低い周波数では伝播できない左手系ギャップとなる。また、＋６次より高い周波数ではＣＲＬＨ伝送線路のローパス特性が効いてきて、それより高い周波数では伝播できない右手系ギャップとなる。したがって、ＣＲＬＨ共振器は周波数の低い左手系領域から周波数の高い右手系領域まで含めて、非常に広帯域のバンドパス特性を呈する。本発明で利用しようとしているのは、このような左手系と右手系の両方を含めた広帯域なバンドパス特性ではない。本発明は、左手系のもつ共振現象を利用した超小型バンドパス左手系フィルタである。
【００２７】
左手系の共振を用いて所望の帯域幅を持つバンドパス左手系フィルタを構成するためには、ある特定の左手系共振モードを複数個集めてきて、帯域通過特性を形成することが必要である。そのために、本発明の構成では、段間結合素子を用いて、共振器を複数個持つ多段左手系フィルタを構成する。
【００２８】
ここで、特記すべきことは、１段の共振器で、例えば隣接する−１次と−２次の共振モードを利用したとしても、各共振モードは離散的な定在波の数に対応する特定の周波数間隔を有する分離された共振周波数しか持ち得ないため通過帯域が非常に狭いこと、および減衰特性を制御できないことである。
【００２９】
通過帯域に対して、段間結合素子を用いて、例えば２段の左手系フィルタを構成した場合、図６に示すようにお互いの共振器の持つ共振モードを用いて通過帯域を形成することができる。その際、帯域幅は段間結合素子ならびに入出力結合素子の大きさを制御することにより、所望の帯域幅と通過帯域特性を形成することができる。さらに、本発明は−１次の共振を使うため、差動での信号の取出しが可能となり、平衡不平衡フィルタを作り出すことができる。
【００３０】
減衰特性に対して、例えば２段の左手系フィルタを構成した場合、図７に示すように入力結合素子と段間結合素子を共振器の同一端子に接続、出力結合素子と段間結合素子をもう一つの共振器の同一端子に接続することで、減衰極を持たせることができる。その際、共振器の直列共振回路もしくは並列共振回路の素子値を制御することにより、所望の周波数に減衰極を配置することができ、良好な減衰特性を得ることができる。さらに、本発明は差動で信号を取り出すので、同電位で振動する０次は出力されることがなく、広帯域に渡って、良好な減衰特性を確保することができる。これらの点が、本発明の特徴である。
【００３１】
ここで、本実施の形態における左手系フィルタを図４に示す。
【００３２】
図４に示すごとく、本実施の形態における左手系フィルタは、入力端１５と第１の出力端１６Ａと第２の出力端１６Ｂとを有するフィルタであって、入力端１５と第１の出力端１６Ａとの間には段間結合素子１９Ａが介在し、入力端１５と段間結合素子１９Ａとの間にはキャパシタ成分１１Ａとインダクタ成分１１Ｂとからなる第１の直列体１１の一端が接続点１７にて電気的に接続され、第１の出力端１６Ａと段間結合素子１９Ａの間にはキャパシタ成分１１０Ａとインダクタ成分１１０Ｂとからなる第２の直列体１１０の一端が接続点１８にて電気的に接続され、第１の直列体１１の一端にはキャパシタ成分１２Ａとインダクタ成分１２Ｂとからなる第１の並列体１２の一端が電気的に接続され、第２の直列体１１０の一端にはキャパシタ成分１２０Ａとインダクタ成分１２０Ｂとからなる第２の並列体１２０の一端が電気的に接続され、第１の並列体１２の他端はグランドに電気的に接続されており、第２の並列体１２０の他端はグランドに電気的に接続されており、第１の直列体１１と第１の並列体１２とにより第１のセル１０Ａを構成し、第２の直列体１１０と第２の並列体１２０とにより第２のセル１００Ａを構成している。
【００３３】
さらに、第１の直列体１１の他端はキャパシタ成分１３Ａとインダクタ成分１３Ｂとからなる第３の直列体１３の一端と接続され、第２の直列体１１０の他端はキャパシタ成分１３０Ａとインダクタ成分１３０Ｂとからなる第４の直列体１３０の一端と接続され、第３の直列体１３の一端にはキャパシタ成分１４Ａとインダクタ成分１４Ｂとからなる第３の並列体１４の一端が電気的に接続され、第４の直列体１３０の一端にはキャパシタ成分１４０Ａとインダクタ成分１４０Ｂとからなる第４の並列体１４０の一端が電気的に接続され、第３の並列体１４の他端はグランドに電気的に接続されており、第４の並列体１４０の他端はグランドに電気的に接続されており、第３の直列体１３と第３の並列体１４とにより第３のセル１０Ｂを構成し、第４の直列体１３０と第４の並列体１４０とにより第４のセル１００Ｂを構成している。
【００３４】
また、段間結合素子１９Ａと入力端１５との間には入力結合素子２０を、段間結合素子１９Ａと第１の出力端１６Ａとの間には出力結合素子２１Ａを、第３のセル１０Ｂの他端と第４のセル１００Ｂの他端との間には段間結合素子１９Ｂを、第４のセル１００Ｂの他端と第２の出力端１６Ｂとの間には出力結合素子２１Ｂを介在させる構成としている。
【００３５】
このような構成により、ＣＲＬＨ共振器を構成するセル数が２セルとなるので、０次と−１次の左手系の共振が発生し、その結果として、差動で信号を取り出すと同電位で振動する０次の共振は打ち消しあい、共振器の両端で電位の振幅が逆相となるように振動する−１次の共振のみ取り出すことができる。
【００３６】
加えて、単位セル１０Ａ及び１０Ｂからなる第１のＣＲＬＨ共振器２２と単位セル１００Ａ及び１００Ｂからなる第２のＣＲＬＨ共振器２３がお互いに電磁界結合する構成とすると、段間結合素子１９Ａ、１９Ｂと、電磁界結合した第１のＣＲＬＨ共振器２２、第２のＣＲＬＨ共振器２３とが等価的に並列共振回路を構成するため、入力側、あるいは出力側から見たフィルタのインピーダンスが０となり信号がグラウンドに流れる周波数が存在することとなり、通過帯域内に１つ極を増やすことができ、その結果として、減衰特性を向上させることができるのである。
【００３７】
さらに、入力結合素子２０と段間結合素子１９Ａ、１９Ｂ、出力結合素子２１Ａ、２１Ｂの容量値を調整することで容易に２個のＣＲＬＨ共振器２２、２３の−１次の共振の結合を制御する事ができるので−１次の共振で通過域を形成した左手系フィルタを構成する事ができ、かつＣＲＬＨ共振器２２、２３の電磁界結合と段間結合素子１９Ａ、１９Ｂとにより生じる減衰極を配置・制御することができることから従来の２段左手系フィルタよりもフィルタ特性の優れた左手系フィルタを提供することができる。
【００３８】
なお、入力結合素子２０、段間結合素子１９Ａ、１９Ｂ、出力結合素子２１Ａ、２１Ｂはキャパシタではなく、インダクタで構成しても構わない。
【００３９】
具体的な構造を図５に示す。
【００４０】
互いに対向するよう配置された接地導体２４、２５間が誘電体２６で満たされた構造において、導体パターン２７はビア導体３２を介して接地導体２５に接続される。これは図４に示したインダクタ１２Ｂに対応する。さらに導体パターン２７は接地導体２４、２５により図４に示したキャパシタ１２Ａが構成される。導体パターン２７及び導体パターン２８はビア導体２９を介して接続された導体パターン３０、３１に挟まれるように構成される。これにより図４に示したキャパシタ１１Ａが構成される。また、導体パターン２８は図４に示したインダクタ１１Ｂにも対応する。以上が図４に示した単位セル１０Ａに対応する。
【００４１】
導体パターン２８はビア導体３７を介して接地導体２５に接続される。これにより図４に示したインダクタ１４Ｂが構成される。導体パターン２８はさらに導体パターン３３と接地導体２４、２５により図４に示したキャパシタ１４Ａが構成される。導体パターン２８及び導体パターン３３はビア導体３４を介して接続された導体パターン３５、３６に挟まれるように構成される。これにより図４に示したキャパシタ１３Ａが構成される。導体パターン３３は図４に示したインダクタ１３Ｂにも対応する。以上が図４に示した単位セル１０Ｂに対応する。
【００４２】
この単位セル１０Ａと１０Ｂは第１のＣＲＬＨ共振器２２をなす。
【００４３】
図４に示した第１のＣＲＬＨ共振器２２と第１のＣＲＬＨ共振器２３とは、図５において線分Ａ−Ａ’において鏡面対称に構成され、導体パターン３８はビア導体４３を介して接地導体２５に接続される。これは図４に示したインダクタ１２０Ｂに対応する。さらに導体パターン３８は接地導体２４、２５により図４に示したキャパシタ１２０Ａが構成される。導体パターン３８及び導体パターン３９はビア導体４０を介して接続された導体パターン４１、４２に挟まれるように構成される。これにより図４に示したキャパシタ１１０Ａが構成される。また、導体パターン３９は図４に示したインダクタ１１０Ｂにも対応する。以上が図４に示した単位セル１００Ａに対応する。
【００４４】
導体パターン３９はビア導体４８を介して接地導体２５に接続される。これにより図４に示したインダクタ１４０Ｂが構成される。さらに導体パターン３９と接地導体２４、２５により図４に示したキャパシタ１４０Ａが構成される。導体パターン３９及び導体パターン４７はビア導体４４を介して接続された導体パターン４５、４６に挟まれるように構成される。これにより図４に示したキャパシタ１３０Ａが構成される。導体パターン４７は図４に示したインダクタ１３０Ｂにも対応する。以上が図４に示した単位セル１００Ｂに対応する。
【００４５】
この単位セル１００Ａと１００Ｂは第２のＣＲＬＨ共振器２３をなす。
【００４６】
そして、図４に示した入力結合素子２０は、入力端子４９よりビア導体５０を介して接続される導体パターン５１と、図４に示したインダクタ１２Ｂに対応する導体パターン２７とにより構成し、図４に示した段間結合素子１９Ａは、図４に示した単位セル１０Ａの一部を構成する導体パターン２７と図４に示した単位セル１００Ａの一部を構成する導体パターン３８と導体パターン５２とにより構成し、図４に示した段間結合素子１９Ｂは、図４に示したインダクタ１３Ｂに対応する導体パターン３３と図４に示したインダクタ１３０Ｂに対応する導体パターン４７と導体パターン５３とにより構成し、図４に示した出力結合素子２１Ａは、第１の出力端子５４よりビア導体５５を介して接続される導体パターン５６と、図４に示したインダクタ１２０Ｂに対応する導体パターン３８とにより構成し、図４に示した出力結合素子２１Ｂは、第２の出力端子５７よりビア導体５８を介して接続される導体パターン５９と、図４に示したインダクタ１３０Ｂに対応する導体パターン４７とにより構成することで表現される。
【００４７】
本実施の形態のように誘電体２６内に内蔵することで第１のＣＲＬＨ共振器２２、第２のＣＲＬＨ共振器２３同士を電磁界結合させることができる。その場合、その電磁界結合と段間結合素子１９の共振により図９に示すように新たに減衰極を設けることができ、減衰特性を向上させることができる。
【００４８】
この際、接地導体２４、２５は側面電極６０、６１で接続されていることが好ましい。
【００４９】
なお、今回入力結合素子２０、出力結合素子２１Ａ、２１Ｂは図４に示すようにキャパシタで表現したが、それぞれの容量が１０ｐＦ以上となる場合は、入力結合素子２０、出力結合素子２１Ａ、２１Ｂは取り除いて直接接続しても構わない。
【産業上の利用可能性】
【００５０】
本発明の左手系フィルタは、減衰特性を向上させることができるという効果を有し、携帯電話等の各種電子機器において有用である。
【図面の簡単な説明】
【００５１】
【図１】本発明の実施の形態１、２の左手系フィルタにおける単位セルを示す等価回路図
【図２】本発明の実施の形態１に示す左手系フィルタにおける右手系伝送線路の等価回路図
【図３】本発明の実施の形態１に示す左手系フィルタにおける左手系伝送線路の等価回路図
【図４】本発明の実施の形態１の左手系フィルタを示す等価回路図
【図５】本発明の実施の形態１の左手系フィルタの構造を示す分解斜視図
【図６】本発明の実施の形態１に示す左手系フィルタの周波数特性図
【図７】本発明の実施の形態１に示す左手系フィルタの周波数特性図
【図８】本発明の実施の形態１に示す左手系フィルタにおけるＣＲＬＨ共振器の周波数特性図
【図９】本発明の実施の形態１に示す左手系フィルタにおけるＣＲＬＨ共振器の電圧定在波を示す特性図
【図１０】本発明の実施の形態１に示す左手系フィルタにおけるＣＲＬＨ共振器の斜視図
【図１１】従来の左手系フィルタの等価回路図
【符号の説明】
【００５２】
１１  第１の直列体
１１Ａ、１２Ａ、１３Ａ、１４Ａ、１１０Ａ、１２０Ａ、１３０Ａ、１４０Ａ  キャパシタ成分
１１Ｂ、１２Ｂ、１３Ｂ、１４Ｂ、１１０Ｂ、１２０Ｂ、１３０Ｂ、１４０Ｂ  インダクタ成分
１２  第１の並列体
１３  第３の直列体
１４  第３の並列体
１５  入力端
１６Ａ  第１の出力端
１６Ｂ  第２の出力端
１９Ａ  第１の段間結合素子
１９Ｂ  第２の段間結合素子
２０  入力結合素子
２１Ａ  第１の出力結合素子
２１Ｂ  第２の出力結合素子
１１０  第２の直列体
１２０  第２の並列体
１３０  第４の直列体
１４０  第４の並列体
【図１】
2009273083.tif 000003
【図２】
2009273083.tif 000004
【図３】
2009273083.tif 000005
【図４】
2009273083.tif 000006
【図５】
2009273083.tif 000007
【図６】
2009273083.tif 000008
【図７】
2009273083.tif 000009
【図８】
2009273083.tif 000010
【図９】
2009273083.tif 000011
【図１０】
2009273083.tif 000012
【図１１】
2009273083.tif 000013